(57)【要約】 【課題】    小型であっても高速に高性能に油水分離の処理ができるようにしたい。  【解決手段】    処理槽８１に貯留した被処理液中に微細気泡を供給することによって被処理液に含まれる油分を浮上させ水と油分とを分離させる油水分離装置であり、処理槽８１の下部に油水分離前の被処理液と微細気泡を供給するノズル３４を設け、処理槽８１内に該処理槽で生じる被処理液の循環流における上昇流と下降流を仕切る遮蔽板１５を設け、処理槽８１の下降流が流れる領域に油水分離後の被処理液を排出させる排出管３０を設けた。  【選択図】  図１
2006167560.tif 000002
【特許請求の範囲】
【請求項１】
処理槽に貯留した被処理液中に微細気泡を供給することによって被処理液に含まれる油分を浮上させ水と油分とを分離させる油水分離装置において、  
処理槽の下部に油水分離前の被処理液と微細気泡を供給するノズルを設け、処理槽内に該処理槽で生じる被処理液の循環流における上昇流と下降流を仕切る遮蔽板を設け、処理槽の下降流が流れる領域に油水分離後の被処理液を排出させる排出管を設けたことを特徴とする油水分離装置。  
【請求項２】
上記請求項１の油水分離装置において、該遮蔽板は処理槽内での被処理液の循環流における下降流が流れる領域の横断面積が被処理液の循環流における上昇流が流れる領域の横断面積と等しいかより広くなる位置に設けてあることを特徴とする油水分離装置。  
【請求項３】
上記請求項１の油水分離装置において、さらに、処理槽内に被処理液の循環流における下降流が流れる領域の上部に油分と微細気泡が一体化し浮上した廃油分が下降することを阻止する阻止部材を設けたことを特徴とする油水分離装置。
【発明の詳細な説明】
【技術分野】
【０００１】
本発明は油水分離装置に関し、特に、処理槽における被処理液中を上昇する微細気泡により油水の分離を行なう浮上分離法に基づく油水分離装置に関するものである。
【背景技術】
【０００２】
浮上分離法に基づく油水分離装置として、下記特許文献に記述されるものがある。この装置では、大容量の処理槽から被処理液を汲み出し加圧した後に加圧空気を混合溶解させ、余剰空気を除去して処理槽内に噴射減圧させることによって、処理槽内の被処理液中に微細気泡を発生させている。この微細気泡と油分が付着し、油分は微細気泡とともに浮上して、油と水分が分離する。
【０００３】
【特許文献１】特開平５−３１７８４７号公報
【発明の開示】
【発明が解決しようとする課題】
【０００４】
油分が微細気泡とともに浮上することによって、処理槽内では、被処理液が上下する循環流が形成される。装置自体の設置面積は限定されることが多いから、処理槽は小型にすることが望まれる。単純に小型化すると、処理槽内で被処理液が上下する循環流が強くなり、一旦、液面上まで浮上した油粒子（油分）が下降流に乗って処理槽底部近傍まで下降するため、油分濃度が一定値以下にはならず、結果的に油水分離性能が低下する。
【０００５】
被処理液として空気圧縮機のドレンをみると、大気中の水分量（絶対湿度）によってドレン量および油分濃度が変化する。即ち、絶対湿度が高い時期にはドレン量は多いがドレン中の油分濃度は低く、絶対湿度の低い時期にはドレン量は少ないが油分濃度は高いという性質がある。
【０００６】
そこで空気圧縮機のドレンのような被処理液を処理するための油水分離装置では、多量で高濃度の油分を含んだ被処理液を想定して性能を設定しており、そうすると絶対湿度が高い時期では油分濃度は低いにも係わらず油水分離性能は高めに設定され、絶対湿度の低い時期にはドレン量は少ないにも係わらず処理槽は余分な大きさを持っているということになる。
【０００７】
それゆえ本発明の目的は、小型であっても高速に高性能に油水分離の処理ができる油水分離装置を提供することにある。
【０００８】
本発明の他の目的は、被処理液量やその油分濃度が変化しても高速に油水分離の処理ができる油水分離装置を提供することにある。
【課題を解決するための手段】
【０００９】
上記目的を達成する本発明油水分離装置の特徴とするところは、処理槽に貯留した被処理液中に微細気泡を供給することによって被処理液に含まれる油分を浮上させ水と油分とを分離させる油水分離装置において、処理槽の下部に油水分離前の被処理液と微細気泡を供給するノズルを設け、処理槽内に該処理槽で生じる被処理液の循環流における上昇流と下降流を仕切る遮蔽板を設け、処理槽の下降流が流れる領域に油水分離後の被処理液を排出させる排出管を設けたことにある。
【００１０】
また、上記遮蔽板は、処理槽内での被処理液の循環流における下降流が流れる領域の横断面積が被処理液の循環流における上昇流が流れる領域の横断面積と等しいかより広くなる位置に設けたことにある
さらに、処理槽内に被処理液の循環流における下降流が流れる領域の上部に油分と微細気泡が一体化し浮上した廃油分が下降することを阻止する阻止部材を設けたことにある。
【発明の効果】
【００１１】
本発明によれば、被処理液の循環流における下降流の影響を受けて上昇流が上昇の途中から下降流になることを回避でき、上昇流は処理槽の上部に達した後に下降流に転じる。
【００１２】
それにより、油分が微細気泡と一体化する機会が増し、一体化することで比重が小さくなり、下降し難くなり、効率的に油水分離が進む。
【００１３】
従って、小型であっても高速に高性能に油水分離の処理ができる油水分離装置が得られる。また、被処理液量やその油分濃度が変化しても、高速に油水分離の処理ができる油水分離装置が得られる。
【発明を実施するための最良の形態】
【００１４】
以下、図１乃至図３に示した本発明の一実施形態について説明する。
【実施例１】
【００１５】
図１は本発明の一実施形態になる油水分離装置を示す概略縦断面図、図２は図１おける処理槽を図１に示したＡ−Ａ切断線に沿って示した部分的縦断面図、図３は図１おける処理槽を図１に示したＢ−Ｂ切断線に沿って示した部分的横縦断面図である。
【００１６】
図１おいて、処理槽１１には槽内を被処理液１を貯留し油水分離を行う分離部（請求項での処理槽）８１とこの分離部８１で浮上分離した油分２を回収する浮上油受け部８２とを区分する仕切板１２を設けてある。分離部８１の下部には円管状の大気泡分離器１３を設けてあり、大気泡分離器１３の天井部には大気泡排出管１４を設け、大気泡排出管１４の上端部は仕切板１２の上端部高さ位置辺りにおける分離部８１に開口させてある。
【００１７】
分離部８１の下方横部に開口するように取り付けた配管３０はバルブ３１を介して循環ポンプ３２と接続し、循環ポンプ３２の出口側配管３３は大気泡分離器１３に設けたノズル３４に接続してある。配管３０から循環ポンプ３２を経てノズル３４に至る経路は槽外循環をなす被処理液循環配管系を構成している。
【００１８】
配管３０には、空気を供給する空気供給管３５をバルブ３６を介して接続してある。循環ポンプ３２の作動で配管３０を分離部８１における被処理液１が流れるとき、空気供給管３５から空気が吸引され、循環ポンプ３２において加圧され、被処理液１に溶解した空気はノズル３４から被処理液１から吹き出るときに減圧されて微細気泡となり、被処理液１の流れに乗って分離部８１に供給される。
【００１９】
しかしながら循環ポンプ３２において溶解し切れなかった空気はそのままノズル３４から大気泡として出てきて、分離部８１での油水分離に貢献しないので、微細気泡と大気泡に作用する浮力の差を利用して大気泡分離器１３において大気泡ｂを天井部に集め、排出管１４から分離部８１の上部に導くようにしてあり、大気泡分離器１３と排出管１４とで気泡除去手段を構成している。
【００２０】
配管３０には被処理液供給系統を構成する供給管２１を接続してあり、供給管２１にバルブ２２を介して供給ポンプ２２とバルブ２３を設けてある。
【００２１】
図２に示すように、大気泡分離器１３は分離部８１における下部で左右端から見て中央の位置に開口している。従って、大気泡分離器１３から分離部８１に流れる被処理液１と微細気泡は分離部８１の中央を上昇し、両側で下降する循環流を形成する。この循環流に関し、上昇流と下降流を遮蔽する１対の遮蔽板１５を分離部８１に設けている。
【００２２】
各遮蔽板１５は、各遮蔽板１５と分離部８１の内壁で形成される循環流における下降流が流れる領域の横断面積（Ａ１＋Ａ２）は、１対の遮蔽板１５で挟まれた循環流における上昇流が流れる領域の横断面積（Ａ３）と等しいか，より広くなる位置に設けてある。この断面積の設定で、循環流における上昇流と下降流のそれぞれ速度が決まる。実施形態では、下降流の流速が上昇流の流速より遅くなるようにしてある。
【００２３】
遮蔽板１５は分離槽８１での被処理液１の循環を阻止するためのものではないので、下端は大気泡分離器１３の底部より低いが、分離部８１の底からＤ１の高さの位置にあり、上端は後述する油水分離処理時における分離部８１での被処理液の液面６１よりも低い位置となるようにしてある。なお、６２は後述する油水分離処理時に分離部８１における被処理液１の液面６１上に浮上した油分２の液面である。
【００２４】
分離部８１の上部、詳しくは下降流が流れる領域に、分離部８１の上部から油水分離後の処理済の被処理液１を排出する排出管４１を設けてあり、排出管４１は分離部８１との接続部（管座）から持上げ、その下流を分離部８１との接続部よりも低い位置まで配管してあり、その途中にバルブ４２を有している。
【００２５】
排出管４１の最高位は、処理槽１１の仕切板１２の最高位より低くして位置差Ｄ２を持たせてある。従って、分離部８１内に被処理液１を供給し貯留させる場合、バルブ４２を開放してあれば、被処理液１は排出管４１から流出して、分離部８１における被処理液面６１は排出管４１の最高位で規制され、バルブ４２を閉止し分離槽８１内に被処理液１を供給していけば、被処理液面６１は排出管４１の最高位よりも上昇していくので、排出管４１はバルブ４２の開閉で被処理液１を排出し水位を調整する機能を備えていることになる。バルブ４２を閉じ、分離部８１に下方から被処理液を供給していくと、油水分離で浮上した油分は仕切板１２の上端から浮上油受け部８２に溢流する。
【００２６】
図２や図３に示すように、分離部８１における下降流が流れる領域（図１の実施形態では２箇所に下降流域がある）の上部には、微細気泡と付着し上昇した油分２が下降することを阻止するための阻止板１６を被処理液１の液面６１と遮蔽板１５の上端の中間位置に設けてある。
【００２７】
この阻止板１６は被処理液１の下降は阻止する必要がないので、複数の微細なパンチ穴を設けた板や網を用いることができる。つまり、パンチ穴や網目から上昇し集合した油分２が通らなければ良い程度の開口度を持っていれば良い。
【００２８】
バルブ４２を閉じ分離部８１に下方から被処理液を供給していくと、油水分離で浮上した油分２は仕切板１２の上端から浮上油受け部８２に溢流する（図２，図３では、仕切板１２の上端位置を一点鎖線で示している）。浮上油受け部８２の底部には、油分を排出する油分排出管５１が設けてある。
【００２９】
図示しないが、分離部８１の底部から外部に配管を設け、その途中にバルブを設けてあり、分離部８１内部の被処理液１を排出する必要がある場合にこれらを用いる。
【００３０】
図２に示すように、上昇する微細気泡と微細気泡に付着した油分の流れが下降流で阻害されないように、遮蔽板１５と阻止板１６の内側の面には隙間Ｄ３を設けてあり、阻止板１６の内側面が遮蔽板１５の内側面より距離Ｄ３だけ外になるようにしてある。
【００３１】
なお、配管３０は分離部８１における下降流の流域の下部における２箇所に開口するようにしてある。また、排出管１４の上部は、油水分離処理中における被処理液１の液面６１付近に開口させてある。
【００３２】
次にその動作を説明する。  
先ず、図５に示す絶対湿度の低い時期に行う間歇処理Ｉについて説明する。
【００３３】
図１に戻って、バルブ３１，３６を開放状態にして分離部８１に清水または処理済の被処理液（以下、処理済の被処理液で説明）を充満させた状態で循環ポンプ３２を運転すると、溶解用空気が空気供給管３５から流入する。この運転を暫く行うと分離部８１における被処理液の温度が上昇し、密度が小さくなる。尚、分離部８１における被処理液の温度を上昇させるために分離部８１に加熱手段を配設しておいてもよい。
【００３４】
分離部８１における被処理液の温度が所望の温度まで上昇したら、被処理液循環系統における循環ポンプ３２の運転を停止し、被処理液供給系統のバルブ２３を開放状態にして供給ポンプ２２を運転して、未処理の被処理液を供給する。未処理の被処理液は、配管３０および配管３３，ノズル３４から分離部８１に流入する。
【００３５】
未処理の被処理液は分離部８１内の処理済の被処理液よりも温度が低く密度が大きく、遮蔽板１５の下端と分離部８１の底部に隙間Ｄ１を設けているために分離部８１の底部に溜って行き、密度が小さい処理済の油分濃度の低い被処理液は分離部８１の上部に押し上げられた形となって、排出管４１，バルブ４２を経由して排出される。例えば、排出管４１の分離部８１における配管高さＤ４から分離部８１の底部までにおける容積が４０Ｌ，処理済の被処理液温度が３２０Ｋ，未処理の被処理液温度が２８３Ｋ，未処理の被処理液の供給を２０Ｌ／ｈで行うと、処理済の被処理液のみを３０Ｌ以上排出可能である。
【００３６】
処理済の被処理液のみの排出が済んだら、供給ポンプ２１は停止させ、バルブ２３，４２を閉状態にして未処理の被処理液の供給を止めて、循環ポンプ３２による槽外循環を実施する。
【００３７】
バルブ３１，３６は開放状態としてあり、未処理の被処理液が配管３０を流れることによって、空気供給管３５側が負圧となり、溶解用空気が空気供給管３５から流入する。流入した空気は配管３０内を流れる液体に混入し溶解する。溶解しなかった余剰空気はそのままの状態で、空気の溶解した液体と一緒にノズル３４から大気泡分離器１３内に吐出させる。ノズル３４から吐出することで圧力の加わっていた被処理液および空気は減圧し、被処理液に溶解していた空気は微細気泡となり、溶解していなかった空気は大気泡となる。
【００３８】
大気泡分離器１３では、気泡径が大きくなるほど液中上昇速度が速い特性を気泡が持っているため、大気泡は大気泡分離器１３の上部へ溜り、大気泡排出管１４から分離部８１の上方部へ排出される。従って、大気泡分離器１３の出口からは微細気泡のみを含む被処理液が分離部８１に噴出する。
【００３９】
前記開口部から噴出した被処理液は、分離部８１に存在する被処理液と混合し、減速しながら流れる。その流れは図４に示すように槽内循環流を形成し、大気泡分離器１３の出口から噴射された被処理液は、遮蔽板１５があるために配管３０へ吸い込まれる流れとならずに遮蔽板１５の内側を上昇する流れ（上昇流Ｖ１）となり、上昇した後は遮蔽板１５の外側を配管３０に向かう下降流Ｖ２となる循環流が形成されている。
【００４０】
遮蔽板１５が無い場合には、一部の油分と微細気泡が上昇の途中から下降流Ｖ２となり配管３０へ吸い込まれて浮上分離せず、油水分離性能が低下するが、遮蔽板１５を用いているため、より浮上分離しやすくなり被処理液面６１へ辿り着きやすくなる。
【００４１】
遮蔽板１５を設けることにより、上昇流の流れる流域が制限され通過面積が減少し、ここを通過する微細気泡の密度が高くなることにより、微細気泡に油分が接し易くなり、浮上分離しやすくなる。
【００４２】
遮蔽板１５の上部よりもさらに上昇した上昇流Ｖ１は被処理液面６１へ辿り着き、油分が被処理液面６１上に留まり、微細気泡は被処理液面６１上で消える。阻止板１６は油分通過できない程度で被処理液が通過できる程度の穴が開いているものを用いているので、被処理液のみが阻止板１６を通り抜ける。この時、被処理液は阻止板１６を分散して流れ、遮蔽板１５を設ける位置の関係から下降流Ｖ２の下降速度は上昇流Ｖ１における油分と微細気泡の上昇速度と同等か遅くなるようにしてある（上昇流量と下降流量は等しいので、横断面積の関係で速度を調整できる）ことにより、下降流の流速は遅く、従って阻止板１６より上面の流れは緩やかで、油分が下降しないので、高い油水分離能力を維持できる。
【００４３】
バルブ４２は閉止してあり、分離部８１の被処理液中に気泡が存在することにより、被処理液面６１は排出管４１の最高位置よりも高くなる。この状態で分離部８１内部の被処理液面６１上側に浮上油が溜まるが、浮上油液面６２よりも仕切板１２の上端を高くしてあることにより、循環中に浮上油が浮上油受け部８３へ仕切板１２から溢流（オーバフロー）することはない。
【００４４】
槽外循環中に分離部下方の油分は微細気泡によって上昇し、油水分離する。浮上油分離法では油分が高濃度であるほど分離性能は良いので、中間濃度以下までは高速に分離できる。
【００４５】
本発明者らの観察によれば、槽外循環の前半５０％の時間で未処理の被処理液の油分濃度は中間濃度以下の１／５程度に低下し、後半５０％の時間で中間濃度以下の油分濃度からさらにその１／５程度の低濃度に低下することを確認している。このときの循環ポンプ３２出口での圧力は、所要動力を少なくすることと微細気泡の直径を小さくすることを考慮すると０．３〜０．８ＭＰａ程度が好ましい。
【００４６】
分離部８１における被処理液が目標とする濃度に低下したら、循環ポンプ３２を停止し、バルブ２３，４２を開放させ、供給ポンプ２２を運転して未処理の被処理液を槽外循環流路に供給する。この期間中に分離部８１の処理済の被処理液は供給した未処理の被処理液と同量だけ排出管４１から排出される。
【００４７】
被処理液の供給と循環のために供給ポンプ２２の運転と停止を交互に繰り返し、浮上油液面６２と被処理液面６１との差が大きくなったら、即ち分離部８１上部に浮上油が溜まったら、供給ポンプ２２の運転中に排出管４１のバルブ４２を閉止状態にし、被処理液面６１が仕切板１２と同一高さになることによって、浮上油を仕切板１２からオーバフローさせ、浮上油受け部８３へ排出させる。
【００４８】
通常のスクリュー圧縮機では、一週間の連続運転により浮上油が約１ｍｍ溜まるので、浮上油の排出は一週間に１回程度行う。この排出時期は運転時間で決定するだけでなく、浮上油量、浮上油厚さを測定することによっても決定できる。
【００４９】
この間歇処理Ｉでは、分離部８１内に清水または処理済の被処理液液と約５０％の未処理の被処理液を混合して油水分離処理し、油分は高濃度から低濃度まで短時間で下げることになる。
【００５０】
次に、絶対湿度の高い時期に行う間歇処理II（図５参照）について説明する。
【００５１】
運転の方法は前述した間歇処理Ｉと同一であるが、相違するところは被処理液の供給と循環のために供給ポンプ２２の運転と停止を交互に繰り返す時間の差である。絶対湿度の高い時期では未処理の被処理液量は多いが油分濃度は低いので、循環ポンプ３２の運転時間は間歇処理Ｉの場合よりも短く設定し、供給ポンプ２２の運転期間の比率を高くしている。
【００５２】
分離部８１に処理済の被処理液を充満させた状態で循環ポンプ３２を運転する。バルブ３１，３６は開放状態にしてあり、溶解用空気が空気供給管３５から流入する。この運転を暫く行うと分離部８１における被処理液の温度が上昇し、密度が小さくなる。なお、分離部８１における被処理液の温度を上昇させるために分離部８１に加熱手段を配設しておいてもよい。
【００５３】
分離部８１における被処理液が所望の温度まで上昇したら、被処理液循環系統における循環ポンプ３２の運転を停止し、被処理液供給系統のバルブ２３を開放状態にして供給ポンプ２２を運転して、未処理の被処理液を供給する。被処理液は、配管３０および配管３３、ノズル３４から分離部８１に流入する。被処理液は分離部８１内の清水または処理済の被処理液よりも温度が低く密度が大きく、遮蔽板１５の下端と分離部８１の底部に隙間Ｄ１を設けているために分離部８１の底部側から溜って行き、密度が小さい処理済の油分濃度の低い被処理液は分離部８１の上部に押し上げられた形となって、排出管４１，バルブ４２を経由して排出される。間歇処理Ｉと同様に３０Ｌ以上排出可能である。
【００５４】
処理済の被処理液のみの排出が済んだら、供給ポンプ２１は停止させ、バルブ２３、４２は閉状態とし、未処理の被処理液の供給を止めて、循環ポンプ３２による槽外循環を実施する。バルブ３１，３６を開放することで、分離部８１の被処理液が配管３０を流れることによって、空気供給管３５側が負圧となり、溶解用空気が空気供給管３５から流入する。流入した空気は配管３０内を流れる未処理の被処理液に混入し溶解する。溶解しなかった余剰空気はそのままの状態で、空気の溶解した未処理の被処理液と一緒にノズル３４から大気泡分離器１３内に吐出させる。ノズル３４から吐出することで圧力の加わっていた未処理の被処理液および空気は減圧し、未処理の被処理液に溶解していた空気は微細気泡となり、溶解していなかった空気は大気泡ｂとなる。大気泡分離器１３では、気泡径が大きくなるほど液中上昇速度が速い特性を気泡が持っているため、大気泡ｂは大気泡分離器１３の上部へ溜り、大気泡排出管１４から分離部８１の上方部へ排出される。
【００５５】
従って、大気泡分離器１３の出口からは微細気泡のみを含む未処理の被処理液が分離部８１に噴出する。前記開口部から噴出した未処理の被処理液は、分離部８１に存在する被処理液と混合し、減速しながら流れる。その流れは間歇処理Ｉと同じく図４に示す通りである。
【００５６】
バルブ４２は閉止してあり、分離部８１の被処理液１中に気泡が存在することにより、被処理液面６１は排出管４１の最高位置よりも高くなる。この状態で分離部８１内部の被処理液面６１上側に浮上油２が溜まるが、浮上油液面６２よりも仕切板１２を高く配置してあり、循環中に浮上油２が浮上油受け部８３へ仕切板１２からオーバフローすることはない。槽外循環中に分離部下方の油分は微細気泡によって上昇し、油水分離する。
【００５７】
間歇処理IIの被処理液の油分濃度は中間濃度程度なので、高濃度から中濃度までの時間が不要となり、間歇処理Ｉより短い時間で油水分離をすることが可能である。従って、循環ポンプ３２の運転時間は、間歇処理Ｉの場合よりも短く設定してある。
【００５８】
分離部８１における被処理液１が目標とする油分濃度に低下したら、循環ポンプ３２を停止し、バルブ２３，４２を開放させ、供給ポンプ２２を運転して未処理の被処理液を槽外循環流路に供給する。この期間中に分離部８１の処理済の被処理液は供給した未処理の被処理液と同量だけ排出管４１から排出される。
【００５９】
被処理液の供給と循環のために供給ポンプ２１の運転と停止を交互に繰り返し、浮上油液面６２と被処理液面６１との差が大きくなったら、即ち分離部８１上部に浮上油２が溜まったら、供給ポンプ２２の運転中に排出管４１のバルブ４２を閉止状態にし、被処理液面６１が遮蔽板１２と同一高さになることによって浮上油２を仕切板１２からオーバフローさせ、浮上油受け部８３へ排出する。間歇処理Ｉと同様に通常のスクリュー圧縮機では一週間の運転により浮上油が約１ｍｍ溜まるので、浮上油の排出は一週間に１回程度行う。この排出時期は運転時間で決定するだけでなく、浮上油量、浮上油厚さを測定することによっても決定できる。
【００６０】
この間歇処理IIでは、分離部８１内に処理済の被処理液液と間歇処理Ｉよりも油分濃度の低い約５０％の未処理にある被処理液を混合して油水分離処理し、油分は中濃度から低濃度まで短時間で下げることになる。
【００６１】
図５は、一般的なスクリュー圧縮機のドレン流量と油分濃度の関係を示している。夏季に相当する大気中の水分量が多い時期にはドレン流量が多く、油分濃度は低い。冬季に相当する大気中の水分量が少ない時にはドレン流量が少なく、油分濃度は高い。そこで前記２つの運転方法の特徴を生かして、ドレン流量が多く、油分濃度が低い場合には処理時間が短くてすむ間歇処理IIを行うことにより短時間で多くの処理ができ、またドレン流量が少なく、油分濃度が高い場合には間歇運転Ｉを行うことにより、小型で高速処理可能な油水分離装置を構成できる。
【００６２】
間歇処理運転は、槽外循環期間と被処理液供給期間の長さを異ならせた複数のパターンを用意して、中間濃度域の余裕を広くすることも可能であり、間歇処理を３パターン、４パターンと分割することで低濃度の処理時間をより短くすることも可能である。なお、槽外循環期間のみを変化させることによっても同様に対応できる。
【００６３】
これらの運転パターン選択にはドレン流量または油分濃度の情報が必要である。油分濃度は短時間で計測する方法が無いので、運転パターン選択にはドレン流量の情報を用いる。ドレン流量は大気中の水分量、圧縮機吐出空気圧力、空気冷却器出口温度、凝縮水補集効率から計算でき、従って、大気温度と大気湿度を計測する方法がある。
【００６４】
一方、通常は圧縮機からのドレンを一旦溜めるタンクを設けており、この中に液面計を取付け、液面の変化からドレン流量を算出する方法がある。また、大気温度のみを測定して、大気湿度１００％としたドレン最大流量を計算し、この値を制御に用いることも可能である。実際にはこれらの方法を単独もしくは組合わせて制御に用いる。
【００６５】
これらのパターンや運転モードの切り替えは図示していない制御装置にシーケンスプログラムとして用意しておき、油分濃度を確認するための大気中の湿度などの上述した各項目の計測結果やカレンダーなどに基づいて適宜に切り替えるようにしておくことができる。
【００６６】
阻止板１６は、分離部８１の内壁に隣接する箇所に被処理液が下降流に転ずる開口部を設けてある場合には、被処理液が通過できないものであっても良い。
【００６７】
大気の湿度が高く、空気圧縮機から排出される被処理液（ドレン）が多量である割に油分濃度が低いような場合には、バルブ２３，３１，３６，４２は開放し、供給ポンプ２２，循環ポンプ３２を連続運転し、配管２１から未処理の被処理液を供給しつつ、排出管４１から処理済みの被処理液を排出する連続処理を行なっても良い。
【００６８】
この場合、分離部８１における被処理液面６１上に相当量の油分２が溜まったら、供給ポンプ２２，循環ポンプ３２を運転しながら、バルブ４２を閉じることで、供給ポンプ２２で供給した未処理の被処理液分が分離部８１内で増加し液面が上昇するので、上部の油分は仕切板１２からオーバフローし、浮上油受け部８２に排出される。その後、バルブ４２を開き、連続処理に戻る。
【図面の簡単な説明】
【００６９】
【図１】本発明の一実施形態になる油水分離装置を示す概略縦断面図である。
【図２】図１おける処理槽を図１に示したＡ−Ａ切断線に沿って示した部分的縦断面図である。
【図３】図１おける処理槽を図１に示したＢ−Ｂ切断線に沿って示した部分的横縦断面図である。
【図４】図１に示した処理槽の分離部での被処理液の流動状態を示す図である。
【図５】圧縮機におけるドレンの流量と油分濃度の関係を示す図である。
【符号の説明】
【００７０】
１…被処理液  
２…油分（浮上油）  
１１…処理槽  
１２…仕切板  
１３…大気泡分離器  
１４…大気泡排出管  
１５…遮蔽板  
１６…阻止板（阻止部材）  
２２…供給ポンプ  
２１，３０，３３…配管  
３２…循環ポンプ  
３４…ノズル  
３５…空気供給管  
４１…排出管  
６１…被処理液面  
６２…浮上油液面  
８１…分離部  
８３…浮上油受け部
【図１】
2006167560.tif 000003
【図２】
2006167560.tif 000004
【図３】
2006167560.tif 000005
【図４】
2006167560.tif 000006
【図５】
2006167560.tif 000007